(57)【要約】【課題】    全長を短縮にして、施設現場での取り扱いを容易にした空調用ダクトに関する。【解決手段】筒体２の外端部に、接続用フランジ３を、その他端に係合雌部４をそれぞれ設けた第１と第３の分割ダクト１０Ａ、１０Ｃと、筒体１１の両端部に係合雄部９をそれぞれ設けた第２の分割ダクト１０Ｂとから成り、第２の分割ダクト１０Ｂの筒体１１を、第１、第３の分割ダクト１０Ａ、１０Ｃの筒体２よりも、係合雌部４と係合雄部９とを係合するに適した寸法に相当して大きく形成して、第２の分割ダクト１０Ｂの両端部に、第１と第３の分割ダクト１０Ａと１０Ｃをそれぞれ嵌合状態に連結して成る。【選択図】  図９
2005207715.tif 000002
【特許請求の範囲】
【請求項１】
断面方形状の筒体の外端に接続用のフランジを、その内端に係合雌部乃至係合雄部のいづれか一方をそれぞれ有した第１の分割ダクトと、断面方形状の筒体の外端に接続用のフランジを、その内端に係合雌部乃至係合雄部のいづれか他方をそれぞれ有した第２の分割ダクトとから成り、いづれか一方の分割ダクトの筒体を、他方の分割ダクトの筒体よりも、係合雌部と係合雄部とが係合するに適した寸法に相当して大きく形成して、一方の筒体と他方の筒体とを嵌合状態に連結したことを特徴とする空調用ダクト。
【請求項２】
第１と第２の分割ダクトとを同一の構成とした請求項１記載の空調用ダクト。
【請求項３】
断面方形状の筒体の外端部に接続用のフランジを、その内端に係合雌部乃至係合雄部のいづれが一方をそれぞれ有した第１および第３の分割ダクトと、断面方形状の筒体の両端部に係合雌部乃至係合雄部のいづれが他方をそれぞれ有した第２の分割ダクトとから成り、第２の分割ダクトの筒体を、第１および第３の分割ダクトの筒体よりも係合雌部と係合雄部とが係合するに適した寸法に相当して大きく乃至小さく形成して、第２の分割ダクトの筒体の両端部に、第１および第３の分割ダクトの筒体をそれぞれ嵌合状態に連結したことを特徴とする空調用ダクト。
【請求項４】
第１と第３の分割ダクトの構成を等しくして成る請求項３記載の空調用ダクト。
【請求項５】
断面方形状の筒体の外端部に接続用のフランジを、その内端に係合雌部乃至係合雄部のいづれが一方をそれぞれ有した第１および第３の分割ダクトと、断面方形状の筒体の両端部に係合雌部乃至係合雄部のいづれが他方をそれぞれ有した第２の分割ダクトとから成り、第２の分割ダクトの筒体を、第１の分割ダクトの筒体よりも係合雌部と係合雄部とが係合するに適した寸法に相当して大きく形成し、かつ、第３の分割ダクトの筒体を、第２の分割ダクトの筒体よりも係合雌部と係合雄部とが係合するに適した寸法に相当して大きく形成して、第２の分割ダクトの筒体の両端部に、第１および第３の分割ダクトの筒体をそれぞれ嵌合状態に連結したことを特徴とする空調用ダクト。
【請求項６】
係合雌部が、筒体の端縁部をコ字状に屈曲して屈曲凹部を形成すると共に、その屈曲片を内向きに傾斜してこれに弾性を付与し、かつ、その先端部を屈曲して段部と上向きに傾斜する受片とを有して成り、また係合雄部が、筒体の端縁部をコ字状に屈曲すると共に、その遊端片を折返し状に折曲して挿込み部と形成し、かつ、その先端部に段部を有して成る請求項１、２、３、４または５記載の空調用ダクト。
【発明の詳細な説明】
【技術分野】
【０００１】  本願は、工場やビル等に施設される空調用ダクトに関する。
【背景技術】
【０００２】
【特許文献１】実開昭６２−６７１４０号公報
【特許文献２】実開平２−３４９３３号公報
【特許文献３】実用新案登録第２５５４７０９号公報
従来、工場やビル等に施設される空調用ダクトにおいて、ダクトの長さを延長するために、ダクト同士が、或いはダクトと空調供給源に備えた分岐用ダクトとが接続されるが、その接続手段として特許文献１で示されるように、ダクト同士の端部を突き合わせて構成するもの、或いは特許文献２で示すように、ダクト同士の端部を嵌合接続する構成のもの、或いは特許文献３で示すように、ダクトを構成する角状の筒体の端縁部に外方に起立する接続用のフランジを設け、このフランジ同士をボルト・ナットにより締結する構成のものが存在し、本願は、角状の筒体の端縁部に接続用のフランジを設けてなる態様のダクト、特に長尺なダクトを取扱う場合に有効なダクトを提供しようとするものである。
【発明の開示】
【発明が解決しようとする課題】
【０００３】  従来、空調路を形成するために使用されるダクトは、所要の長さを有する断面角状の筒体の両端部に接続用のフランジを一体に有して成るが、通常空調用ダクトを施設する現場は、足場が悪くかつ狭い場所で施工する関係上、特に長尺なダクトを取扱う場合に、その搬出入の作業や施設作業を困難にするという不都合があった。
【発明を解決するための手段】
【０００４】  本願は上記した従来の不都合を解消するために、断面方形状の筒体の外端に接続用フランジを、その内端に係合雌部乃至係合雄部のいづれか一方をそれぞれ有した第１の分割ダクトと、断面方形状の筒体の外端に接続用フランジを、その内端に係合雌部乃至係合雄部のいづれか他方をそれぞれ有した第２の分割ダクトとから成り、いづれか一方の分割ダクトの筒体を、他方の分割ダクトの筒体よりも、係合雌部と係合雄部とが係合するに適した寸法に相当して大きく形成して、一方の筒体と他方の筒体とを嵌合状態に連結したことを特徴とするものである。
【０００５】  上記において、好ましくは、第１と第２の分割ダクトとを同一の構成とする。
【０００６】  また、本願は、断面方形状の筒体の外端部に接続用フランジを、その内端に係合雌部乃至係合雄部のいづれが一方をそれぞれ有した第１および第３の分割ダクトと、断面方形状の筒体の両端部に係合雌部乃至係合雄部のいづれが他方をそれぞれ有した第２の分割ダクトとから成り、第２の分割ダクトの筒体を、第１および第３の分割ダクトの筒体よりも係合雌部と係合雄部とが係合するに適した寸法に相当して大きく乃至小さく形成して、第２の分割ダクトの筒体の両端部に、第１および第３の分割ダクトの筒体をそれぞれ嵌合状態に連結したことを特徴とするものである。
【０００７】  上記において、第１と第３の分割ダクトの構成を等しくするときは、製作および製品管理が容易になると共に、ダクト同士或いは空調供給源側の分岐用ダクトに接続する場合に、その接続の方向性が問わないので施設作業に便利である。
【０００８】  また、本願は、断面方形状の筒体の外端部に接続用フランジを、その内端に係合雌部乃至係合雄部のいづれが一方をそれぞれ有した第１および第３の分割ダクトと、断面方形状の筒体の両端部に係合雌部乃至係合雄部のいづれが他方をそれぞれ有した第２の分割ダクトとから成り、第２の分割ダクトの筒体を、第１の分割ダクトの筒体よりも係合雌部と係合雄部とが係合するに適した寸法に相当して大きく形成し、かつ、第３の分割ダクトの筒体を、第２の分割ダクトの筒体よりも係合雌部と係合雄部とが係合するに適した寸法に相当して大きく形成して、第２の分割ダクトの筒体の両端部に、第１および第３の分割ダクトの筒体をそれぞれ嵌合状態に連結したことを特徴とするものである。
【０００９】  上記において、係合雌部が、筒体の端縁部をコ字状に屈曲して屈曲凹部を形成すると共に、その屈曲片を内向きに傾斜してこれに弾性を付与し、かつ、その先端部を屈曲して段部と上向きに傾斜する受片とを有して成り、また係合雄部が、筒体の端縁部をコ字状に屈曲すると共に、その遊端片を折返し状に折曲して挿込み部と形成し、かつ、その先端部に段部を有して成る。
【発明の効果】
【００１０】  本願は、上記したように、空調工事の施設上、長尺なダクトとを必要とする場合でも、その全長を大きく短縮することができるので、足場が悪く、狭い工事現場におけるダクトの取扱いおよびダクトの搬出、搬入作業に極めて便利である。
【００１１】  特に、第１乃至第３の３個の分割ダクトから成り、中間の第２の分割ダクトの両端部にそれぞれ嵌合状態に連結される第１および第３の分割ダクトの構成を等しくするときは、分割ダクトの互換性が得られると共に、接続用フランジの大きさが同一であるので、ダクト同士或いはダクトを空調供給源側の分岐用ダクトに接続する場合の方向性を問わないので、ダクトの製作および製品管理並びに施設作業に有効であるという利点を有する。
【発明を実施するための最良の形態】
【実施例１】
【００１２】以下図面にもとづいて、本願の実施の態様を詳述する。
図１は、長尺なダクト１を２分割した場合の第１実施例を示しており、一方の分割ダクト１Ａは、鋼板から成る断面方形状の筒体２の一方の外端部に、その全周にわたって接続用フランジ３が、また、筒体２の他方の内端部に、その全周にわたって連結用の係合雌部４がそれぞれ設けてある。【００１３】  図６乃至８は、前記接続用のフランジ３の一例を示したもので、筒体２を形成する４面の各端縁部を、それぞれ外向きコ字状に屈曲することにより、水平部５ａと屈曲部５ｂとを有し、このように形成されたフランジ３の４隅位置には、直角に開いた２片から成り、その角部位置に、接続用ボルトの挿入孔６ａと、筒体２の直角隅部に接合する接合片６とを有した板状のコーナ部片６が取付けてある。【００１４】  前記コーナ部片６の取付けは、具体的には、直角２片の各側縁に沿って起立したリブ６ｃ、６ｄがそれぞれ設けてあり、内側のリブ６ｃを、筒体２の４面の端縁部周面に沿って形成した凸状部２１と、前記フランジ３の水平部５ａとの間で挟持し、また、外側のリブ６ａの上縁一部を、フランジ３の屈曲部５ｂの上縁によりかしめ止め５ｃすることにより、溶着することなしにコーナ部片６は、フランジ３の４隅位置にそれぞれ固着される。なお接続用のフランジは、上記のものに限定されるものではない。【００１５】  前記他方の分割ダクト１Ｂも亦、鋼板から成る断面方形状の筒体７の一方の外端部に、その全周にわたって前記と同様の接続用のフランジ３が、また、筒体７の他方の内端部に、その全周にわたって連結用の係合雄部９がそれぞれ設けてある。【００１６】  上記した一方の分割ダクト１Ａと他方の分割ダクト１Ｂとは、係合雌部４と係合雄部９とが互いに係合するに適した高さＨの寸法に相当して一方の分割ダクト１Ａの筒体２よりも、他方の分割ダクト１Ｂの筒体７を大きく形成した点および一方が係合雌部４であるとき、他方が係合雄部９である点を除き基本的に相違するところはなく、従って、図において、同一符号は同一部分を示している。【００１７】  図３および図４は、係合雌部４および係合雄部９のそれぞれの拡大断面図を、また図５は、係合雌部４と係合雄部９の係合状態の拡大断面図を示している。【００１８】  すなわち、一方の係合雌部４は、図３で示すように、筒体２の端縁部を外向きコ字状に屈曲して、その屈曲片４ａと筒体２との間に介入部４ｂを形成すると共に、前記屈曲片４ａを内向きに傾斜してこれに弾発力を付与し、かつ、その先端部を屈曲して段部４ｃと上向きに傾斜する受片４ｄとが形成してあり、上記において好ましくは、介入部４ｂの内端部に沿ってパッキン４ｅが介在される。【００１９】  他方の係合雄部９は、図４で示すように、筒体７の端縁部を内向きコ字状に屈曲すると共に、その屈曲片９ａを、さらに折返し状に折曲して挿込み部９ｂを形成し、かつ、その先端部に段部９ｃを設けて成る。【００２０】  しかして、図１で示すように、一対の分割ダクト１Ａと１Ｂを、一方の分割ダクト１Ａが、他方の分割ダクト１Ｂ内に嵌合するように連結する。その連結方法としては、例えば、一方の分割ダクト１Ａを、フランジ３を形成しない状態で、その筒体２を他方の分割ダクト１Ｂの筒体７内に対し、フランジ３を有した端部側か��介入して伸長方向に引き出したのち、この状態で引き出された一方の分割ダクト１Ａの筒体２の外端部にフランジ３を設けることによって行われる。【００２１】  しかして、この嵌合状態においては、一対の分割ダクト１Ａと１Ｂは、長手方向において自由に伸縮可能であり、従って工事現場等におけるダクト１の搬出、搬入の作業時或いはダクト１の施設作業時において、一方のダクト１Ａを他方のダクト１Ｂ内に充分に嵌入した最も短縮した状態（図１の仮想線で示す状態）で取扱い、次いでダクトを施設現場において、分割ダクト１Ａと１Ｂとを最も長尺な伸長状態とする。【００２２】  すると、図５で示すように、矢印方向ａから係合雄部９の挿込み部９ｂが、係合雌部４の受片４ｄに案内され、かつ、屈曲片４ａを押し上げながら介入部４ｂに介入すると共に、屈曲片４ａの弾力により段部４ｃと９ｃとが圧接状態で係合し、以上によって分割ダクト１Ａと１Ｂが最も伸長した状態で連結される。【００２３】  上記の第１実施例は、一方の分割ダクト１Ａの筒体２を、他方の分割ダクト１Ｂの筒体７内に嵌合する構成の場合について述べたが、これと反対に、他方の分割ダクト１Ｂの筒体７を、一方の分割ダクト１Ａの筒体２内に嵌合する構成としてもよく、この場合は、一方の分割ダクト１Ａの端部に係合雌部４が内向きに乃至は係合雄部９が設けられ、また他方の分割ダクト１Ｂの端部に、係合雄部９が外向きに乃至は係合雌部４が設けられる。【００２４】  図９は、ダクト１０を３個の分割ダクト１０Ａ、１０Ｂ、１０Ｃによって構成した場合の第２実施例を示している。
すなわち、両端に位置する第１と第３の分割ダクト１０Ａと１０Ｃは、前記第１実施例における分割ダクト１Ａの構成と相違するところはなく、従って、図において、第１実施例と符号と同一の符号は同一部分と示している。
また、中間に位置する分割ダクト１０Ｂは、前記第１と第２の分割ダクト１Ａ、１Ｃの筒体２よりも係合雌部４と係合雄部９との係合に適した高さＨに相当する寸法だけ大きく形成された筒体１１の両端部に、第１実施例における係合雄部９をそれぞれ設けて成る。【００２５】  しかして、中間の分割ダクト１０Ｂの両端部に、分割ダクト１０Ａと１０Ｃをそれぞれ嵌合状態に連結した態様においては、各分割ダクトは互いに長手方向で自由に伸縮可能であり、この状態から、両端位置の分割ダクト１０Ａと１０Ｃをそれぞれ相対方向に伸長すると、すでに図５において詳記したように、係合雌部４と係合雄部９とが相互に係合して最も長尺な伸長状態となる。【００２６】  上記において、例えば中間位置の分割ダクト１０Ｂの全長を２Ｌとし、また、両端位置の分割ダクト１０Ａと１０Ｃの全長をＬとするときは、ダクト１０を最も短縮した場合の全長はほヾ２Ｌに短縮され、また、ダクト１０を最も長尺に伸長した場合は、その全長はほヾ４Ｌに伸長される。【００２７】  上記の第２実施例は、中間位置の分割ダクト１０Ｂの筒体１１内に、両端位置の分割ダクト１０Ａと１０Ｃの筒体２を嵌合した場合について例示したが、中間位置の分割ダクト１０Ｂの筒体１１の両端部外周を、両端位置の分割ダクト１０Ａと１０Ｃの筒体２内にそれぞれ嵌合するように連結してもよく、この場合、中間位置の分割ダクト１０Ｂの両端部に、係合雄部９が外向きに乃至は係合雌部４が設けられ、また両端位置の分割ダクト１０Ａと１０Ｃの端部に係合雌部４が内向きに乃至は係合雄部９が設けられる。【００２８】  図１０は、ダクト１０を３個の分割ダクト１０Ｄ、１０Ｅ、１０Ｆによって構成した他の実施例を示しており、具体的には、一方の端部位置の分割ダクト１０Ｄは、前記第２実施例における分割ダクト１０Ａとその構成を等しくして成り、また、中間位置の分割ダクト１０Ｅは、前記分割ダクト１０Ｄの筒体２よりも係合雌部４と係合雄部９とが係合するに適した寸法だけ大きく形成した筒体１１の一端に係合雄部９を、その他端に係合雌部４をそれぞれ設けて成り、さらに他方の端部位置の分割ダクト１０Ｆは、前記分割ダクト１０Ｅの筒体１１よりも係合雌部４と係合雄部９とが係合するに適した寸法だけ大きく形成した筒体１２の内端に係合雄部９を、その外端に接続用のフランジ３をそれぞれ設けて成る。【００２９】  このように構成された各分割ダクト１０Ｄ、１０Ｅ、１０Ｆを、中間位置の分割ダクト１０Ｅの筒体１１内に分割ダクト１０Ｄの筒体２が嵌合し、かつ、分割ダクト１０Ｆの筒体１２内に中間位置の分割ダクト１０Ｅの筒体１０が嵌合することによって、ダクト１０が構成される。【００３０】  この構成によれば、各分割ダクト１０Ｄ、１０Ｅ、１０Ｆの筒体２、１１、１２の長さを等しくするとき、ダクト１０を最も短尺に縮小したときの全長が、ほヾ単一の分割ダクトの筒体の長さに短縮でき、また、ダクト１０を最も長尺に伸長したとき、その全長は、単一の分割ダクトの筒体の長さのほヾ３倍の長さに伸長される。
【図面の簡単な説明】
【００３１】
【図１】    一部を裁断して示したダクトの側面図
【図２】    図１のＡ−Ａ線断面図
【図３】    係合雌部の断面図
【図４】    係合雄部の断面図
【図５】    係合雌部と係合雄部の係合状態を示す断面図
【図６】    フランジの一部分を示す拡大平面図
【図７】    図６のＢ−Ｂ線断面図
【図８】    図６のＣ−Ｃ線断面図
【図９】    一部を裁断して示した他の実施例のダクトの側面図
【図１０】    一部を裁断して示したさらに他の実施例のダクトの側面図
【符号の説明】
【００３２】  １Ａ、１Ｂ、１０Ａ、１０Ｂ、１０Ｃ、１０Ｄ、１０Ｅ、１０Ｆ    分割ダクト
２、７、１１、１２    筒体
３    接続用フランジ
４    係合雌部
９    係合雄部
【図１】
2005207715.tif 000003
【図２】
2005207715.tif 000004
【図３】
2005207715.tif 000005
【図４】
2005207715.tif 000006
【図５】
2005207715.tif 000007
【図６】
2005207715.tif 000008
【図７】
2005207715.tif 000009
【図８】
2005207715.tif 000010
【図９】
2005207715.tif 000011
【図１０】
2005207715.tif 000012